(57)【要約】  空気調和機の室内機は、外郭を形成する筐体と、筐体の内部に配置され、電子部品を実装した配線基板を収納する配線基板保持装置と、を備えている。配線基板保持装置は、配線基板を保持する凹形状のベースフレームと、ベースフレームの開口面を塞ぐカバー部材と、を有している。ベースフレームは、凹部内を、外部から通した第１配線の第１配線経路と、配線基板が嵌め込まれる領域と、に区画する基板支持壁が設けられ、配線基板が嵌め込まれる領域に、外部から通した第２配線が配線される。
2019030854.tif 000002
【特許請求の範囲】
【請求項１】
外郭を形成する筐体と、
前記筐体の内部に配置され、電子部品を実装した配線基板を収納する配線基板保持装置と、を備え、
前記配線基板保持装置は、
前記配線基板を保持する凹形状のベースフレームと、
前記ベースフレームの開口面を塞ぐカバー部材と、を有し、
前記ベースフレームは、凹部内を、外部から通した第１配線の第１配線経路と、前記配線基板が嵌め込まれる領域と、に区画する基板支持壁が設けられ、
前記配線基板が嵌め込まれる領域に、外部から通した第２配線が配線される、空気調和機の室内機。
【請求項２】
前記ベースフレームは、前記基板支持壁から前記配線基板が嵌め込まれる領域に向かって突き出し、前記第２配線の第２配線経路を形成する保持部を有する、請求項１に記載の空気調和機の室内機。
【請求項３】
前記保持部は、前記基板支持壁の長手方向に沿って間隔をあけて設けられた第１保持部と第２保持部と、を有し、
前記第１保持部は、前記基板支持壁の端縁部から前記ベースフレームの開口面に向かって延出され、延出した端部から前記配線基板が嵌め込まれる領域に向かって突き出す形状であり、
前記第２保持部は、前記基板支持壁の端縁部から前記配線基板が嵌め込まれる領域に向かって突き出し、突き出した端部から前記ベースフレームの開口面に向かって延出させた形状であり、
前記第１保持部と前記第２保持部とで囲まれた領域によって、前記第２配線経路が形成されている、請求項２に記載の空気調和機の室内機。
【請求項４】
前記保持部は、前記基板支持壁の長手方向に沿ってそれぞれ設けられた第１保持部及び第２保持部を有し、
前記第１保持部は、前記基板支持壁の端縁部から前記配線基板が嵌め込まれる領域に向かって突き出す形状であり、
前記第２保持部は、前記基板支持壁の中間部から前記配線基板が嵌め込まれる領域に向かって突き出す形状であり、
前記第１保持部と前記第２保持部とで囲まれた領域によって前記第２配線経路が形成されている、請求項２に記載の空気調和機の室内機。
【請求項５】
前記保持部は、前記基板支持壁の中間部から前記配線基板が嵌め込まれる領域に向かって突き出し、突き出した端部から前記ベースフレームの開口面に向かって延出させた形状であり、
前記保持部と前記基板支持壁とで囲まれた領域によって前記第２配線経路が形成されている、請求項２に記載の空気調和機の室内機。
【請求項６】
前記配線基板保持装置には、
外部から前記第１配線経路に通じる第１開口部と、
外部から前記第２配線経路に通じる第２開口部と、が同一面上に形成されている、請求項２〜５のいずれか一項に記載の空気調和機の室内機。
【発明の詳細な説明】
【技術分野】
【０００１】
本発明は、電子部品を実装した配線基板を収納するための配線基板保持装置を備えた空気調和機の室内機に関するものである。
【背景技術】
【０００２】
従来、空気調和機の室内機は、外郭を形成する筐体の内部に、複数のコネクタ及び電子部品が実装された配線基板を収納するための配線基板保持装置を備えた構成が知られている。配線基板保持装置は、一例として、配線基板を保持する凹形状のベースフレームと、ベースフレームの開口面を塞ぐカバー部材とで構成されている。【０００３】
配線基板のコネクタには、ベースフレームの外部から通した高電圧線と低電圧線とが接続される場合がある。高電圧線と低電圧線は、ベースフレームの凹部内に設けられた配線経路を通じてコネクタに接続されるが、近接しているとノイズが発生するため、一定の距離をあけて配線される。【０００４】
例えば特許文献１には、同一の配線経路内において、ワイヤーハーネスを構成する複数の電線中の特定の電線を流れる信号等が、他の電線を流れる電流等の干渉を受ける事態を防止する構成が開示されている。
【先行技術文献】
【特許文献】
【０００５】
【特許文献１】実開平５−４８５３３号公報
【発明の概要】
【発明が解決しようとする課題】
【０００６】
特許文献１に開示された発明では、ワイヤーハーネスを構成する複数の電線を同一の配線経路内に配線する構成なので、該配線経路内に高電圧線と低電圧線とを配線した場合、ノイズの発生を抑制できない虞がある。ノイズの発生を抑制できる程度に間隔をあけて高電圧線と低電圧線を配線するには、配線経路を無駄に大きくせざるを得ない。つまり、特許文献１に係る発明を空気調和機の室内機に適用し、高電圧線と低電圧線のノイズの発生を抑制する構成にすると、配線経路が大きくなってしまうことで、他の様々な機能を追加するスペースが制限されてしまい、多機能を備えた室内機の実現が困難となる。【０００７】
本発明は、上記のような課題を解決するためになされたもので、配線経路を大きくすることなく、高電圧線と低電圧線のノイズの発生を抑制できる、空気調和機の室内機を提供することを目的とする。
【課題を解決するための手段】
【０００８】
本発明に係る空気調和機の室内機は、外郭を形成する筐体と、前記筐体の内部に配置され、電子部品を実装した配線基板を収納する配線基板保持装置と、を備え、前記配線基板保持装置は、前記配線基板を保持する凹形状のベースフレームと、前記ベースフレームの開口面を塞ぐカバー部材と、を有し、前記ベースフレームは、凹部内を、外部から通した第１配線の第１配線経路と、前記配線基板が嵌め込まれる領域と、に区画する基板支持壁が設けられ、前記配線基板が嵌め込まれる領域に、外部から通した第２配線が配線されるものである。
【発明の効果】
【０００９】
本発明に係る空気調和機の室内機によれば、外部から通した第１配線と外部から通した第２配線とを、基板支持壁を隔ててベースプレートの内部に配線する構成なので、第１配線を高電圧線とし、第２配線を低電圧線とした場合、基板支持壁でノイズの発生を抑制することができる。また、本発明に係る空気調和機の室内機は、配線基板が嵌め込まれる領域に第２配線を配線するので、第１配線を通す第１配線経路が大きくなることもない。
【図面の簡単な説明】
【００１０】
【図１】実施の形態１に係る空気調和機の室内機を示した斜視図である。
【図２】実施の形態１に係る空気調和機の室内機の内部構造を示した縦断面図である。
【図３】実施の形態１に係る空気調和機の室内機を分解して示した斜視図である。
【図４】実施の形態１に係る空気調和機の室内機の電気品組立体を示した斜視図である。
【図５】実施の形態１に係る空気調和機の室内機の配線基板保持装置を分解して示した斜視図である。
【図６】実施の形態１に係る空気調和機の室内機の配線基板保持装置の側面図である。
【図７】実施の形態１に係る空気調和機の室内機の配線基板保持装置の内部構造を示した正面図である。
【図８】図７に示した配線基板保持装置の内部構造の略右半分を拡大して示した斜視図である。
【図９】図６に示したＡ部分の内部構造を拡大して示した断面図である。
【図１０】実施の形態２に係る空気調和機の室内機であって、配線基板保持装置の内部構造の要部を模式的に示した部分拡大図である。
【図１１】図１０に示したＢ−Ｂ線矢視断面図である。
【図１２】実施の形態３に係る空気調和機の室内機であって、配線基板保持装置の内部構造の要部を模式的に示した部分拡大図である。
【図１３】図１２に示したＣ−Ｃ線矢視断面図である。
【発明を実施するための形態】
【００１１】
以下、図面を参照して、本発明の実施の形態について説明する。なお、各図中、同一又は相当する部分には、同一符号を付して、その説明を適宜省略または簡略化する。また、各図に記載の構成について、その形状、大きさ、及び配置等は、本発明の範囲内で適宜変更することができる。
【００１２】
実施の形態１．
先ず、実施の形態１に係る空気調和機の室内機を、図１〜図１０に基づいて説明する。図１は、実施の形態１に係る空気調和機の室内機を示した斜視図である。図２は、実施の形態１に係る空気調和機の室内機の内部構造を示した縦断面図である。図３は、実施の形態１に係る空気調和機の室内機を分解して示した斜視図である。図４は、実施の形態１に係る空気調和機の室内機の電気品組立体を示した斜視図である。
【００１３】
図１に示す空気調和機の室内機１００は、例えば部屋の壁等に取り付けられて、室内の空調を行うものであり、図示省略の室外機と冷媒配管で接続されて冷凍サイクルを構成する。室内機１００は、図１及び図２に示すように、外郭を形成する筐体１を有している。筐体１は、壁面に固定された据付板に取り付けられる背面ケース１０と、背面ケース１０に取り付けられる前面ケース１１とで構成されている。前面ケース１１は、意匠パネルとして機能する。
【００１４】
前面ケース１１の上面には、図１及び図２に示すように、室内空気の入り口となる吸込口１２が設けられている。また、前面ケース１１の下部には、左右方向に延びる吹出口１３が設けられている。吹出口１３には、図２に示すように、吹き出し風の上下方向の風向を制御する風向調節板１４が設けられている。
【００１５】
筐体１の内部には、図２及び図３に示すように、熱交換器１５、送風ファン１６、及び電気品組立体２が収納されている。
【００１６】
熱交換器１５は、冷房運転時において、蒸発器として機能して空気を冷却し、暖房運転時において、凝縮器（放熱器）として機能して空気を加温するものである。熱交換器１５は、背面ケース１０に装着されており、吸込口１２から吹出口１３までの風路であって、送風ファン１６の上流側に設けられている。熱交換器１５の下方には、結露水を受けるドレンパン１７が設けられている。
【００１７】
送風ファン１６は、吸込口１２から室内空気を吸い込み、吹出口１３から空調空気を吹き出すものである。送風ファン１６は、背面ケース１０に装着されており、吸込口１２から吹出口１３までの風路であって、熱交換器１５の下流側に設けられている。なお、送風ファン１６は、たとえばクロスフローファンで構成するとよい。
【００１８】
電気品組立体２は、図３及び図４に示すように、熱交換器１５の前方に配置され、背面ケース１０が有する構造体に取り付けられる電気品取付枠３と、電気品取付枠３の前面側に取り付けられる配線基板保持装置４とで構成されている。電気品取付枠３には、人又は室内の温度を検知する赤外線センサー３０と、運転状態などをＬＥＤによって前面ケース１１に透過させて表示する表示部３１と、室内機１００をリモコン操作するためのリモコン信号受信部３２等が設けられている。
【００１９】
図５〜図９は、配線基板保持装置４の詳細な構成を示している。図５は、実施の形態１に係る空気調和機の室内機の配線基板保持装置を分解して示した斜視図である。図６は、実施の形態１に係る空気調和機の室内機の配線基板保持装置の側面図である。図７は、実施の形態１に係る空気調和機の室内機の配線基板保持装置の内部構造を示した正面図である。図８は、図７に示した配線基板保持装置の内部構造の略右半分を拡大して示した斜視図である。図９は、図６に示したＡ部分の内部構造を拡大して示した断面図である。
【００２０】
配線基板保持装置４は、図５及び図６に示すように、電子部品を実装した配線基板５を収納するものである。配線基板保持装置４は、配線基板５を保持する凹形状のベースフレーム６と、ベースフレーム６の開口面を塞ぐカバー部材７と、で構成されている。配線基板保持装置４は、図２に示すように、室内機１００の内部構造を考慮して、前面側に傾斜させた配置としているが、必ずしも傾斜させて配置しなければならないものではない。
【００２１】
配線基板５は、図７に示すように、筐体１の内部に設置された各構成部材の電線が接続される複数のコネクタ５０と、各種の電子部品とが実装されている。各構成部材とは、例えば温度を検知する赤外線センサー３０、湿度を検知する湿度センサー、表示部３１、リモコン信号受信部３２、風向調節板１４の駆動モーター、送風ファン１６の駆動モーター等である。配線基板５は、コネクタ５０及び電子部品を実装した面がベースフレーム６の開口面側となるように配置されている。
【００２２】
ベースフレーム６は、図５及び図７に示すように、横長の略長方形状から成り、凹部内に設けられた基板支持壁８によって、外部から通した第１配線９０の第１配線経路６１と、配線基板５が嵌め込まれる領域６２とに区画されている。この基板支持壁８は、ベースフレーム６の下壁面６０に沿って設けられている。つまり、基板支持壁８と下壁面６０とで囲まれた凹状の内部が、第１配線９０を通すための第１配線経路６１として構成されている。なお、第１配線経路６１は、図９に示すように、ベースフレーム６にカバー部材７を取り付けることで開口面が塞がれる。
【００２３】
ベースフレーム６及び基板支持壁８には、配線基板５が嵌め込まれる領域６２を形成する壁面に、配線基板５を固定するための嵌合突部５ａが設けられている。嵌合突部５ａは、配線基板５の板厚と略同程度の幅寸からなる嵌合溝が形成されており、この嵌合溝に配線基板５の縁部が嵌め込まれる構成である。嵌合突部５ａは、配線基板５が嵌め込まれる領域６２の周方向に沿って間隔をあけて複数設けられている。
【００２４】
また、ベースフレーム６には、図７〜図９に示すように、基板支持壁８から配線基板５が嵌め込まれる領域６２に向かって突き出し、当該領域６２に、外部から通した第２配線９１の第２配線経路６３を形成する保持部８０が設けられている。保持部８０は、基板支持壁８の長手方向に沿って間隔をあけて配置された第１保持部８０ａと第２保持部８０ｂとで構成されている。
【００２５】
第１保持部８０ａは、基板支持壁８の端縁部からベースフレーム６の開口面に向かって延出され、延出した端部から配線基板５が嵌め込まれる領域６２に向かって突き出す形状から成る。第２保持部８０ｂは、基板支持壁８の端縁部から配線基板５が嵌め込まれる領域６２に向かって突き出し、突き出した端縁部からベースフレーム６の開口面に向かって延出させた形状から成る。つまり、第２配線経路６３は、図９に示すように、側面方向から見て、第１保持部８０ａと第２保持部８０ｂとで囲まれた領域によって形成されている。なお、第１保持部８０ａと第２保持部８０ｂとを間隔をあけて配置している理由は、第２配線９１を第２配線経路６３に通しやすくするためであり、配線取り回し作業の作業性を高めるためである。また、保持部８０は、第２保持部８０ｂを配線基板保持装置４の右側面側に配置し、第１保持部８０ａを配線基板保持装置４の左側面側に配置した構成に限定されず、第２保持部８０ｂを配線基板保持装置４の左側面側に配置し、第１保持部８０ａを配線基板保持装置４の右側面側に配置した構成でもよい。
【００２６】
配線基板保持装置４の右側面には、図６に示すように、第１配線経路６１に通じる第１開口部９２と、第２配線経路６３に通じる第２開口部９３とが形成されている。第１開口部９２は、ベースフレーム６及びカバー部材７のそれぞれに形成した切り欠き状の開口を組み合わせた構成である。同様に、第２開口部９３も、ベースフレーム６及びカバー部材７のそれぞれに形成した切り欠き状の開口を組み合わせた構成である。なお、第１開口部９２及び第２開口部９３は、ベースフレーム６又はカバー部材７の一方にのみ形成した構成でもよい。
【００２７】
第１配線９０は、一例として電源線及び駆動モーター等の高電圧線であり、第１開口部９２を通じて第１配線経路６１に通される。第１配線経路６１に通した第１配線９０は、基板支持壁８に形成された切り欠き孔から配線基板５が嵌め込まれた領域６２へ通され、配線基板５の対応するコネクタ５０に接続される。また、第２配線９１は、一例としてセンサー線等の低電圧線であり、第２開口部９３を通じて第２配線経路６３に通され、配線基板５の対応するコネクタ５０に接続される。なお、電線は、第１配線９０を低電圧線とし、第２配線９１を高電圧線としてもよい。
【００２８】
カバー部材７は、ベースフレーム６の凹部内に嵌め込んだ配線基板５のコネクタ５０に、第１配線経路６１に通した第１配線９０と、第２配線経路６３に通した第２配線９１とを接続した後に、図６に示すように、ベースフレーム６へ取り付けられる。
【００２９】
上述したように、実施の形態１に係る空気調和機の室内機１００は、外郭を形成する筐体１と、筐体１の内部に配置され、電子部品を実装した配線基板５を収納する配線基板保持装置４と、を備えている。配線基板保持装置４は、配線基板５を保持する凹形状のベースフレーム６と、ベースフレーム６の開口面を塞ぐカバー部材７と、を有している。ベースフレーム６は、凹部内を、外部から通した第１配線９０の第１配線経路６１と、配線基板５が嵌め込まれる領域６２と、に区画する基板支持壁８が設けられ、配線基板５が嵌め込まれる領域６２に、外部から通した第２配線９１が配線される。
【００３０】
つまり、実施の形態１に係る空気調和機の室内機１００は、外部から通した第１配線９０と、外部から通した第２配線９１とを、基板支持壁８を隔ててベースフレーム６の内部に配線する構成なので、第１配線９０を高電圧線とし、第２配線９１を低電圧線とした場合、基板支持壁８でノイズの発生を抑制することができる。また、空気調和機の室内機１００は、配線基板５が嵌め込まれる領域６２に第２配線９１を配線するので、第１配線９０を通す第１配線経路６１が大きくなることもない。そのため、他の様々な機能を追加するスペースを確保することができ、多機能を備えた室内機を実現できる。
【００３１】
また、ベースフレーム６は、基板支持壁８から配線基板５が嵌め込まれる領域６２に向かって突き出し、第２配線９１の第２配線経路６３を形成する保持部８０を有している。具体的には、保持部８０は、基板支持壁８の長手方向に沿って間隔を開けて設けられた第１保持部８０ａと第２保持部８０ｂと、を有している。第１保持部８０ａは、基板支持壁８の端縁部からベースフレーム６の開口面に向かって延出され、延出した端部から配線基板５が嵌め込まれる領域６２に向かって突き出す形状である。第２保持部８０ｂは、基板支持壁８の端縁部から配線基板５が嵌め込まれる領域６２に向かって突き出し、突き出した端部からベースフレーム６の開口面に向かって延出させた形状である。第１保持部８０ａと第２保持部８０ｂとで囲まれた領域によって、第２配線経路６３が形成されている。したがって、空気調和機の室内機１００は、第２配線経路６３によって、配線基板５の電子部品と干渉することなく、第２配線９１を整列させて配線することができるので、配線取り回し作業の作業性を高めることができる。
【００３２】
また、配線基板保持装置４には、外部から第１配線経路６１に通じる第１開口部９２と、外部から第２配線経路６３に通じる第２開口部９３と、が同一面上に形成されている。よって、空気調和機の室内機１００は、第１配線９０と第２配線９１とを、同一の面上から配線することができるので、第１配線９０と第２配線９１とを整列させて配線することができ、配線取り回し作業の作業性を高めることができる。
【００３３】
なお、上述した実施の形態１に係る空気調和機の室内機１００では、保持部８０を設けて、第２配線９１の第２配線経路６３を形成した構成を示したが、この限りではない。詳細に図示することは省略したが、実施の形態１に係る空気調和機の室内機１００は、保持部８０を設けることなく、配線基板５が嵌め込まれる領域６２に外部から通した第２配線９１を配線する構成でもよい。この場合、第２配線９１は、配線基板５の上方において基板支持壁８に沿って配線することとなる。
【００３４】
また、詳細に図示することは省略したが、第２配線経路６３は、第２保持部８０ｂを省略して、第１保持部８０ａのみで構成してもよい。或いは、第２配線経路６３は、第１保持部８０ａを省略して、第２保持部８０ｂのみで構成してもよい。
【００３５】
また、第１保持部８０ａ及び第２保持部８０ｂは、図示した形状に限定されない。第１保持部８０ａ及び第２保持部８０ｂは、第２配線９１を保持することができる形状であれば、他の構成であってもよい。
【００３６】
また、詳細に図示することは省略したが、実施の形態１に係る空気調和機の室内機１００は、配線基板保持装置４の左側面に、第１配線経路６１に通じる第１開口部９２と、第２配線経路６３に通じる第２開口部９３とを形成してもよい。この場合、第１配線経路６１と第２配線経路６３は、配線基板保持装置４の左側面側に形成される。
【００３７】
また、詳細に図示することは省略したが、基板支持壁８は、ベースフレーム６の上壁面６４に沿って設けてもよい。つまり、基板支持壁８と上壁面６４とで囲まれた凹状の内部が、第１配線９０を通すための第１配線経路６１として構成される。
【００３８】
実施の形態２．
次に、本発明の実施の形態２に係る空気調和機の室内機を図１０及び図１１に基づいて説明する。図１０は、実施の形態２に係る空気調和機の室内機であって、配線基板保持装置の内部構造の要部を模式的に示した部分拡大図である。図１１は、図１０に示したＢ−Ｂ線矢視断面図である。なお、実施の形態１で説明した空気調和機の室内機１００と同一の構成については、同一の符号を付して、その説明を適宜省略する。
【００３９】
実施の形態２に係る空気調和機の室内機も、実施の形態１の空気調和機の室内機１００と同様に、ベースフレーム６の凹部内が、基板支持壁８によって、外部から通した第１配線９０の第１配線経路６１と、配線基板５が嵌め込まれる領域６２とに区画されている。基板支持壁８とベースフレーム６の下壁面６０とで囲まれた凹状の内部が、第１配線９０を通すための第１配線経路６１として構成されている。
【００４０】
そして、この室内機のベースフレーム６には、図１０及び図１１に示すように、基板支持壁８から配線基板５が嵌め込まれる領域６２に向かって突き出し、外部から通した第２配線９１の第２配線経路６３を形成する保持部８１が設けられている。
【００４１】
保持部８１は、基板支持壁８の長手方向に沿ってそれぞれ設けられた第１保持部８１ａ及び第２保持部８１ｂと、で構成されている。第１保持部８１ａは、基板支持壁８の端縁部から配線基板５が嵌め込まれる領域６２に向かって突き出す形状である。第２保持部８１ｂは、基板支持壁８の中間部から配線基板５が嵌め込まれる領域６２に向かって突き出す形状である。第２配線経路６３は、図１１に示すように、第１保持部８１ａと第２保持部８１ｂとで囲まれた領域によって形成されている。なお、保持部８１は、図１０に示すように、ベースフレーム６の右側壁から第１配線９０を領域６２へ通す基板支持壁８の切り欠き孔までの範囲に設けているが、ベースフレーム６の右側壁から左側壁の近傍までの範囲に設けてもよい。
【００４２】
つまり、実施の形態２の空気調和機の室内機も、外部から通した第１配線９０と外部から通した第２配線９１とを、基板支持壁８を隔ててベースフレーム６の凹部内に配線する構成なので、第１配線９０を高電圧線とし、第２配線９１を低電圧線とした場合、基板支持壁８でノイズの発生を抑制することができる。また、実施の形態２の空気調和機の室内機は、配線基板５が嵌め込まれる領域６２に第２配線９１を配線するので、第１配線９０を通す第１配線経路６１が大きくなることもない。そのため、他の様々な機能を追加するスペースを確保することができ、多機能を備えた室内機を実現できる。
【００４３】
また、実施の形態２に係る空気調和機の室内機は、第１保持部８１ａと第２保持部８１ｂとで囲まれた領域によって形成された第２配線経路６３によって、配線基板５の電子部品と干渉することなく、第２配線９１を整列させて配線することができるので、配線取り回し作業の作業性を高めることができる。
【００４４】
なお、詳細に図示することは省略したが、第２配線経路６３は、第２保持部８１ｂを省略して、第１保持部８１ａのみで構成してもよい。或いは、第２配線経路６３は、第１保持部８１ａを省略して、第２保持部８１ｂのみで構成してもよい。
【００４５】
実施の形態３．
次に、本発明の実施の形態３に係る空気調和機の室内機を図１２及び図１３に基づいて説明する。図１２は、実施の形態３に係る空気調和機の室内機であって、配線基板保持装置の内部構造の要部を模式的に示した部分拡大図である。図１３は、図１２に示したＣ−Ｃ線矢視断面図である。なお、実施の形態１で説明した空気調和機の室内機１００と同一の構成については、同一の符号を付して、その説明を適宜省略する。
【００４６】
実施の形態３に係る空気調和機の室内機も、実施の形態１の空気調和機の室内機１００と同様に、ベースフレーム６の凹部内が、基板支持壁８によって、外部から通した第１配線９０の第１配線経路６１と、配線基板５が嵌め込まれる領域６２とに区画されている。基板支持壁８とベースフレーム６の下壁面６０とで囲まれた凹状の内部が、第１配線９０を通すための第１配線経路６１として構成されている。
【００４７】
そして、この室内機のベースフレーム６には、図１２及び図１３に示すように、基板支持壁８の中間部から配線基板５が嵌め込まれる領域６２に向かって突き出し、突き出した端部からベースフレーム６の開口面に向かって延出させた形状の保持部８２が設けられている。つまり、実施の形態３に係る空気調和機の室内機では、保持部８２と基板支持壁８とで囲まれた領域によって、第２配線経路６３が形成されている。なお、保持部８２は、図１２に示すように、ベースフレーム６の右側壁から第１配線９０を領域６２へ通す基板支持壁８の切り欠き孔までの範囲に設けているが、ベースフレーム６の右側壁から左側壁の近傍までの範囲に設けてもよい。
【００４８】
よって、実施の形態３の空気調和機の室内機も、外部から通した第１配線９０と外部から通した第２配線９１とを、基板支持壁８を隔ててベースフレーム６の凹部内に配線する構成なので、第１配線９０を高電圧線とし、第２配線９１を低電圧線とした場合、基板支持壁８でノイズの発生を抑制することができる。また、実施の形態３の空気調和機の室内機は、配線基板５が嵌め込まれる領域６２に第２配線９１を配線するので、第１配線９０を通す第１配線経路６１が大きくなることもない。そのため、他の様々な機能を追加するスペースを確保することができ、多機能を備えた室内機を実現できる。
【００４９】
また、実施の形態３に係る空気調和機の室内機は、保持部８２と基板支持壁８とで囲まれた領域によって形成された第２配線経路６３によって、配線基板５の電子部品と干渉することなく、第２配線９１を整列させて配線することができるので、配線取り回し作業の作業性を高めることができる。
【００５０】
以上に本発明を実施の形態に基づいて説明したが、本発明は上述した実施の形態の構成に限定されるものではない。例えば、図示した空気調和機の室内機の構成は、一例であって、上述した内容に限定されるものではなく、他の構成要素を含んだ空気調和機の室内機であっても同様に実施することができる。また、配線基板保持装置４は、図示例の場合、筐体１の前面側に設置した構成を示したが、筐体１の左右の側面に設置してもよい。要するに、いわゆる当業者が必要に応じてなす種々なる変更、応用、利用の範囲をも本発明の要旨（技術的範囲）に含むことを念のため申し添える。
【符号の説明】
【００５１】
１  筐体、２  電気品組立体、３  電気品取付枠、４  配線基板保持装置、５  配線基板、５ａ  嵌合突部、６  ベースフレーム、７  カバー部材、８  基板支持壁、１０  背面ケース、１１  前面ケース、１２  吸込口、１３  吹出口、１４  風向調節板、１５  熱交換器、１６  送風ファン、１７  ドレンパン、３０  赤外線センサー、３１  表示部、３２  リモコン信号受信部、５０  コネクタ、６０  下壁面、６１  第１配線経路、６２  領域、６３  第２配線経路、６４  上壁面、８０、８１、８２  保持部、８０ａ、８１ａ  第１保持部、８０ｂ、８１ｂ  第２保持部、９０  第１配線、９１  第２配線、９２  第１開口部、９３  第２開口部、１００  空気調和機の室内機。
【図１】
2019030854.tif 000003
【図２】
2019030854.tif 000004
【図３】
2019030854.tif 000005
【図４】
2019030854.tif 000006
【図５】
2019030854.tif 000007
【図６】
2019030854.tif 000008
【図７】
2019030854.tif 000009
【図８】
2019030854.tif 000010
【図９】
2019030854.tif 000011
【図１０】
2019030854.tif 000012
【図１１】
2019030854.tif 000013
【図１２】
2019030854.tif 000014
【図１３】
2019030854.tif 000015
【手続補正書】
【提出日】令和1年10月23日(2019.10.23)
【手続補正１】
【補正対象書類名】明細書
【補正対象項目名】０００８
【補正方法】変更
【補正の内容】
【０００８】
本発明に係る空気調和機の室内機は、外郭を形成する筐体と、前記筐体の内部に配置され、電子部品を実装した配線基板を収納する配線基板保持装置と、を備え、前記配線基板保持装置は、前記配線基板を保持する凹形状のベースフレームと、前記ベースフレームの開口面を塞ぐカバー部材と、を有し、前記ベースフレームは、凹部内を、外部から通した第１配線の第１配線経路と、前記配線基板が嵌め込まれる領域と、に区画する基板支持壁と、前記基板支持壁から前記配線基板が嵌め込まれる領域に向かって突き出し、外部から通した第２配線の第２配線経路を形成する保持部と、が設けられ、前記第１配線と前記第２配線とが、前記基板支持壁を隔てて前記ベースフレームの内部に配線されるものである。
【手続補正２】
【補正対象書類名】特許請求の範囲
【補正対象項目名】全文
【補正方法】変更
【補正の内容】
【特許請求の範囲】
【請求項１】
外郭を形成する筐体と、
前記筐体の内部に配置され、電子部品を実装した配線基板を収納する配線基板保持装置と、を備え、
前記配線基板保持装置は、
前記配線基板を保持する凹形状のベースフレームと、
前記ベースフレームの開口面を塞ぐカバー部材と、を有し、
前記ベースフレームは、
凹部内を、外部から通した第１配線の第１配線経路と、前記配線基板が嵌め込まれる領域と、に区画する基板支持壁と、
前記基板支持壁から前記配線基板が嵌め込まれる領域に向かって突き出し、外部から通した第２配線の第２配線経路を形成する保持部と、が設けられ、
前記第１配線と前記第２配線とが、前記基板支持壁を隔てて前記ベースフレームの内部に配線される、空気調和機の室内機。
【請求項２】
前記保持部は、前記基板支持壁の長手方向に沿って間隔をあけて設けられた第１保持部と第２保持部と、を有し、
前記第１保持部は、前記基板支持壁の端縁部から前記ベースフレームの開口面に向かって延出され、延出した端部から前記配線基板が嵌め込まれる領域に向かって突き出す形状であり、
前記第２保持部は、前記基板支持壁の端縁部から前記配線基板が嵌め込まれる領域に向かって突き出し、突き出した端部から前記ベースフレームの開口面に向かって延出させた形状であり、
前記第１保持部と前記第２保持部とで囲まれた領域によって、前記第２配線経路が形成されている、請求項１に記載の空気調和機の室内機。
【請求項３】
前記保持部は、前記基板支持壁の長手方向に沿ってそれぞれ設けられた第１保持部及び第２保持部を有し、
前記第１保持部は、前記基板支持壁の端縁部から前記配線基板が嵌め込まれる領域に向かって突き出す形状であり、
前記第２保持部は、前記基板支持壁の中間部から前記配線基板が嵌め込まれる領域に向かって突き出す形状であり、
前記第１保持部と前記第２保持部とで囲まれた領域によって前記第２配線経路が形成されている、請求項１に記載の空気調和機の室内機。
【請求項４】
前記保持部は、前記基板支持壁の中間部から前記配線基板が嵌め込まれる領域に向かって突き出し、突き出した端部から前記ベースフレームの開口面に向かって延出させた形状であり、
前記保持部と前記基板支持壁とで囲まれた領域によって前記第２配線経路が形成されている、請求項１に記載の空気調和機の室内機。
【請求項５】
前記配線基板保持装置には、
外部から前記第１配線経路に通じる第１開口部と、
外部から前記第２配線経路に通じる第２開口部と、が同一面上に形成されている、請求項１〜４のいずれか一項に記載の空気調和機の室内機。
【国際調査報告】
2019030854.tif 000016
2019030854.tif 000017
2019030854.tif 000018
2019030854.tif 000019